(57)【要約】【課題】複数種類のコンセントに対応できる電力計測装置を提供する。【解決手段】電力計測装置10は、取付枠18、電流検出手段および電力計測ユニット20を備える。取付枠18は、大角連用形のコンセント16が取り付けられる取付部31を有する。電流検出手段は、コンセント16に流れる負荷電流に応じた検出信号を出力する。電力計測ユニット20は、取付枠18に配置され、電流検出手段からの検出信号を入力して電力を計測する。【選択図】図１
2015059915.tif 000002
【特許請求の範囲】
【請求項１】
大角連用形のコンセントが取り付けられる取付部を有する取付枠と；
前記コンセントに流れる負荷電流に応じた検出信号を出力する電流検出手段と；
前記取付枠に配置され、前記電流検出手段からの検出信号を入力して電力を計測する電力計測ユニットと；
を具備することを特徴とする電力計測装置。
【発明の詳細な説明】
【技術分野】
【０００１】
本発明の実施形態は、コンセントに接続される負荷の電力使用量を計測する電力計測装置に関する。
【背景技術】
【０００２】
従来、家庭で使用される電力使用量を個別の電気機器毎に計測するのに対応したアダプタ式電力計測ユニットがある。このアダプタ式電力計測ユニットは、プラグおよびコンセント部を有し、プラグを壁面に設置されている壁コンセントに接続し、コンセント部に負荷を接続することにより、アダプタ式電力計測ユニットを通じて負荷に電力供給する。そして、アダプタ式電力計測ユニットにより、負荷に流れる負荷電流を検出し、電力使用量を計測している。
【０００３】
しかしながら、アダプタ式電力計測ユニットは、壁面からの突出量が大きく、障害となったり、外観が好ましいものではなかった。
【０００４】
また、コンセントと電力計測ユニットとを一体化し、壁に埋め込み設置するコンセント一体形電力計測ユニットがある。
【先行技術文献】
【特許文献】
【０００５】
【特許文献１】特開２０１０−１９８８１７号公報
【発明の概要】
【発明が解決しようとする課題】
【０００６】
しかしながら、コンセント一体形電力計測ユニットの場合、電流および電圧の定格に応じて刃受形状が異なるコンセントが複数種類あり、さらにアースを備えたコンセントもあるため、コンセントの種類別にコンセント一体形電力計測ユニットを準備しなければならない。
【０００７】
本発明が解決しようとする課題は、複数種類のコンセントに対応できる電力計測装置を提供することである。
【課題を解決するための手段】
【０００８】
実施形態の電力計測装置は、取付枠、電流検出手段および電力計測ユニットを備える。取付枠は、大角連用形のコンセントが取り付けられる取付部を有する。電流検出手段は、コンセントに流れる負荷電流に応じた検出信号を出力する。電力計測ユニットは、取付枠に配置され、電流検出手段からの検出信号を入力して電力を計測する。
【発明の効果】
【０００９】
本発明によれば、取付枠に任意の種類の大角連用形のコンセントを組み合わせて取り付けることができるため、１つの電力計測装置で複数種類のコンセントに対応することが期待できる。
【図面の簡単な説明】
【００１０】
【図１】第１の実施形態を示す電力計測装置の斜視図である。
【図２】同上電力計測装置を壁面に設置した状態の斜視図である。
【図３】同上電力計測装置の回路図である。
【図４】第２の実施形態を示す電力計測装置の斜視図である。
【発明を実施するための形態】
【００１１】
以下、第１の実施形態を、図１ないし図３を参照して説明する。
【００１２】
図１および図２に電力計測装置10の外観を示す。
【００１３】
電力計測装置10は、埋め込み形の壁コンセントとの一体形に構成されている。そして、電力計測装置10は、造営物の壁面11に形成された開口部12に埋め込み設置されている。壁面11の裏面側には配線ボックス等が設置されており、この配線ボックス等に電力計測装置10が取り付けられる。さらに、電力計測装置10の前面には開口部12および電力計測装置10を覆うプレート13が取り付けられる。
【００１４】
そして、電力計測装置10は、コンセント16、端子台17、取付枠18、電流検出手段19（図３参照）、および電力計測ユニット20等を備えている。
【００１５】
コンセント16は、ＪＩＳ規格（ＪＩＳ Ｃ８３０４参照）で定められた大角連用に対応している。コンセント16は、コンセント本体23を有し、コンセント本体23の前面に負荷のプラグが差し込まれる一対の差込孔24が形成され、コンセント本体23の両側に取付枠18に取り付けられる取付溝等を備えた取付構造が形成され、コンセント本体23の背面に電線挿入孔が形成されている。コンセント本体23内には、差込孔24から差し込まれるプラグの一対の刃が接続される一対の刃受金具や、電線挿入孔から挿入される電線を接続する端子部などが収容されている。対応する刃受金具と端子部とは接続されている。
【００１６】
端子台17は、大角連用に対応したサイズの端子台本体27を有している。端子台本体27の両側に取付枠18に取り付けられる取付構造が形成され、端子台本体27の背面に電線挿入孔が形成されている。端子台本体27内には、電線挿入孔から挿入される電線を接続する端子部等が収容されている。
【００１７】
取付枠18は、大角連用のコンセント16等の取り付けに対応した１連サイズの標準サポートが２つ用いられている。取付枠18には、コンセント16等を上下方向に最大３個取り付けできる取付開口30が形成されている。取付開口30の両側には、コンセント16等の両側の取付構造を利用して取り付けるための取付部31が設けられている。取付部31は、コンセント16等の両側の取付構造（取付溝）にかしめられて保持する取付片、およびこの取付片をかしめるためのかしめ構造などを備えている。また、取付枠18の上下部には、取付枠18を配線ボックスにねじ止めするための挿通孔32、およびプレート13をねじ止めするための取付孔33が形成されている。
【００１８】
そして、一方の取付枠18の最上部および最下部の取付部31にコンセント16がそれぞれ取り付けられ、中間部の取付部31に端子台17が取り付けられている。また、他方の取付枠18の取付開口30には取付部31を利用して電力計測ユニット20が取り付けられている。
【００１９】
電流検出手段19は、例えばＣＴ（Current Transformer）等で構成され、各コンセント16毎に流れる負荷電流に応じた検出信号を出力する。
【００２０】
電力計測ユニット20は、取付枠18の取付開口に配置可能とする電力計測ユニット本体36を有している。電力計測ユニット本体36の両側に、取付枠18の取付部31に取り付けられる取付構造が形成されている。電力計測ユニット本体36内に、電力を計測するための機器が収容されている。
【００２１】
そして、電力計測装置10は、配線後に、開口部12に埋め込まれ、各取付枠18が配線ボックスにねじ止め固定される。なお、配線ボックスは２連サイズであり、それに合わせた開口寸法に開口部12が形成されている。
【００２２】
また、プレート13は、電力計測装置10（取付枠18の取付孔33）にねじ止めされるプレート枠、およびこのプレート枠に嵌め込み装着されるパネル39を備えている。パネル39には、コンセント16および電力計測ユニット20の前部が突出する窓部40が形成されている。
【００２３】
次に、図３には、電力計測装置10の回路図を示す。
【００２４】
コンセント16は、極毎に一対の端子部を有している。なお、２つのコンセント16のうち、一方を第１のコンセント16a、他方を第２のコンセント16bと呼ぶ。また、端子台17は、全ての端子部が短絡されている。
【００２５】
電力計測ユニット20は、計測部43、通信部44、制御部45および電源部46を備えている。計測部43は、各電流検出手段19から入力される電流の他、電圧および力率等に基づいて電力を演算する。通信部44は、無線あるいは有線によって電力管理を行うホームターミナルやパソコンなどと通信する。制御部45は、電力計測ユニット20の全体を制御する。電源部46は、交流電源を所定の電源に変換して電力計測ユニット20内の機器に供給する。なお、計測部43で電力を演算するための電圧の設定については、電力計測ユニット20に設けた例えばスイッチ等で切り換えるようにしてもよいし、電圧を検出する電圧検出手段を設けてもよい。
【００２６】
交流電源Ｅの一方の極が第１のコンセント16aの一方の端子部に接続され、交流電源Ｅの他方の極が端子台17の端子部に接続されている。第１のコンセント16aの一方の端子部と第２のコンセント16bの一方の端子部とが電線によって接続され、端子台17の端子部と各コンセント16a，16bの他方の端子部とがそれぞれ電線によって接続されている。この配線構造により、各コンセント16a，16bから交流電源Ｅが供給可能に接続されている。
【００２７】
第２のコンセント16bの各端子部と電力計測ユニット20の電源部46とが電線で接続され、電力計測ユニット20に交流電源Ｅが供給される。端子台17と第１のコンセント16aとを接続する電線、および端子台17と第２のコンセント16bとを接続する電線に、第１のコンセント16aおよび第２のコンセント16bのそれぞれに流れる負荷電流を検出する電流検出手段19が装着されている。なお、電流検出手段19は、各コンセント16の電流検出が可能なように端子台17内に配置してもよい。
【００２８】
そして、電力計測装置10は、コンセント16に負荷のプラグを接続することにより、電力計測装置10を通じて交流電源Ｅが負荷に供給される。
【００２９】
コンセント16に接続された負荷で電力を使用することにより、電力計測装置10の電流検出手段19が負荷電流に応じた検出信号を出力する。電力計測ユニット20の計測部43は、電流検出手段19からの検出信号を入力し、電力を演算する。演算した電力値を通信部44によって送信する。このような電力計測は、各コンセント16毎に行われる。
【００３０】
このように構成されている電力計測装置10では、埋め込み形の壁コンセントと同様に壁面11から出っ張らず、外観がよい。
【００３１】
しかも、電力計測装置10の取付枠18には、一般的に流通量の多い大角連用形のコンセント16を組み合わせて取り付けることができるようにしているため、異なる電流種類のコンセント16、異なる電圧種類のコンセント16、あるいはアース付のコンセント16の何れの種類のコンセント16でも組み合わせることができる。そのため、１つの電力計測装置10で複数種類のコンセント16に対応できる。
【００３２】
次に、図４に第２の実施形態を示す。なお、第１の実施形態と同じ構成には同じ符号を用い、その構成および作用効果の説明を省略する。
【００３３】
第１の実施形態では、電力計測装置10が２つの１連サイズの取付枠18を用いていたが、取付枠18を一体形としている。
【００３４】
この場合、端子台17と電力計測ユニット20とを接続し、これら端子台17と電力計測ユニット20との間での電気的な接続を予め済ましておくことにより、施工時の作業性を向上でき、配線間違いを防止できる。
【００３５】
さらに、端子台17内で各コンセント16の電流検出が可能なように電流検出手段19を配置しておくことにより、より施工時の作業性を向上でき、配線間違いを防止できる。
【００３６】
なお、電力計測装置10は、１連サイズの取付枠18を用い、この取付枠18と電流検出手段19および電力計測ユニット20を組み合わせてもよい。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
10    電力計測装置
16    コンセント
18    取付枠
19    電流検出手段
20    電力計測ユニット
31    取付部
【図１】
2015059915.tif 000003
【図２】
2015059915.tif 000004
【図３】
2015059915.tif 000005
【図４】
2015059915.tif 000006